(57)【特許請求の範囲】
【請求項１】
地下構築用敷地部分に、一単位の地下構築物をすっぽりと収容できる程度の大きさを具えかつ水平な底面を具えた構築用凹所を掘削し、当該構築用凹所内に、一単位の地下構築物用骨格体を成形するためのコンクリート流し込み用組立て型枠を填め込み、当該型枠に依る一単位の骨格体の成形後、当該型枠を分解分離し、然る後、構築用凹所の底面を掘り下げて当該骨格体を降下させ、これに依り、当該骨格体の上方に、一単位の地下構築物をすっぽりと収容できる程度の大きさを具えた新たな構築用凹所を増設し、当該増設された構築用凹所内に、新たな地下構築物形成用骨格体を形成するための型枠を填め込み、当該型枠に依る一単位の骨格体の成形後、当該型枠を分解分離し、このような工程を、所要回数繰り返すことによって、所要単位の地下構築物用骨格体を層状に形成する層状地下構築物の構築方法において、コンクリート流し込み用組立て型枠（Ｕ）は、柱体（ｍ）を形成するための柱形成用型枠部（Ｍ）と、梁（ｎ）を成形するための梁成形用型枠部（Ｎ）からなり、矩形状を呈する基盤部の盤面に筒体部２を突設してなる型枠支え用ブロック単体Ａ二つをその互いの筒体部２を対向させた状態で上下に連結したものを一単位とし、これを所要単位数、前後、左右及び上下方向に連結した構造体を形成し、柱形成用型枠部（Ｍ）は型枠支え用ブロック単体Aの基盤部の角端部に垂直に設けられ、梁成形用型枠部（N）は前記型枠支え用ブロック単体Aの基盤部の辺に沿って平行に設けられ、柱形成用型枠部（Ｍ）と梁成形用型枠部（N）は型枠支え用ブロック単体Aで安定されるよう支えられたことを特徴とする層状地下構築物の構築方法。
【請求項２】
地下構築用敷地部分に、一単位の地下構築物をすっぽりと収容できる程度の大きさを具えかつ水平な底面を具えた構築用凹所（１０）を掘削し、当該構築用凹所内に、一単位の地下構築物用骨格体を成形するためのコンクリート流し込み用組立て型枠を填め込み、当該型枠に依る一単位の骨格体の成形後、当該型枠を分解分離し、然る後、当該骨格体（S）の梁部（ｎ）と構築用凹所（１０）の底面間に、複数のジャッキ（１１）を伸長状態で介在させることに依って、当該骨格体（Ｓ）を保持させ、次に、上記骨格体（Ｓ）の全ての柱体（ｍ）の下面部分に、所要深さの仮掘削孔（１０ａ）を掘削すると共に、ジャッキ（１１）の短縮化に基づく仮掘削孔（１０ａ）分だけの柱体ｍの降下、並びに、当該降下後、仮掘削孔（１０ａ）の深さ分だけの構築用凹所（１０）の底面の水平状引き下げ掘削を行うと共に、ジャッキ（１１）の伸長化に基づく骨格体（Ｓ）に対する再度の保持を行い、このような仮掘削孔の掘削に基づく骨格体（Ｓ）の降下を、所要回数繰り返すことに依って、当該骨格体（Ｓ）の上方に、一単位の地下構築物をすっぽりと収容できる程度の大きさを具えた新たな構築用凹所を増設し、当該増設された構築用凹所内に、新たな地下構築物形成用骨格体を形成するための組み立て用型枠を填め込み、当該型枠に依る一単位の骨格体の成形後、当該型枠を分解分離し、このような工程を、所要回数繰り返すことによって、所要単位の地下構築物用骨格体を層状に形成する層状地下構築物の構築方法において、コンクリート流し込み用組立て型枠（Ｕ）は、柱体（ｍ）を形成するための柱形成用型枠部（Ｍ）と、梁（ｎ）を成形するための梁成形用型枠部（Ｎ）からなり、矩形状を呈する基盤部の盤面に筒体部２を突設してなる型枠支え用ブロック単体Ａ二つをその互いの筒体部２を対向させた状態で上下に連結したものを一単位とし、これを所要単位数、前後、左右及び上下方向に連結した構造体を形成し、柱形成用型枠部（Ｍ）は型枠支え用ブロック単体Aの基盤部の角端部に垂直に設けられ、梁成形用型枠部（N）は前記型枠支え用ブロック単体Aの基盤部の辺に沿って平行に設けられ、柱形成用型枠部（Ｍ）と梁成形用型枠部（N）は型枠支え用ブロック単体Aで安定されるよう支えられたことを特徴とする層状地下構築物の構築方法。
【発明の詳細な説明】
【０００１】
【産業上の利用分野】
本発明は、地下室のような地下構築物を、容易かつ合理的な作業で完成化するようにした地下構築物の構築方法に関する。
【０００２】
【従来の技術】
従来、地下構築物を構築する場合、地下構築物の敷地部分を広めに掘削して構築用凹所を形成すると共に、当該凹所の掘削面の崩壊を阻止するために、その内周面全体を矢板で覆うことを絶対的要件とした。更に、当該凹所に構築する地下構築物の外面はコンクリートで覆う必要があり、従って、当該コンクリート面に対する養生を施す必要があった。
【０００３】
【発明が解決しようとする課題】
上記したような従来の構築方法であると、矢板による掘削面崩壊防止作業は、当該矢板を地面に打ち込む関係上、作業用重機を必要とするばかりでなく、騒音発生の源となり、近隣に依る苦情が生じることとなった。
【０００４】
更に、地下構築物の外面を覆うコンクリート面に対する養生には、多くの時間を割かなければならないため、当該養生は、構築作業の迅速化上、大きな障害となっていた。
【０００５】
本発明は、上記のような問題を解決した新規な構築方法の提供を図ったものである。
【０００６】
【課題を解決するための手段】
本発明は、地下構築用敷地部分に、一単位の地下構築物をすっぽりと収容できる程度の大きさを具えかつ水平な底面を具えた構築用凹所を掘削し、当該構築用凹所内に、一単位の地下構築物用骨格体を成形するためのコンクリート流し込み用組立て型枠を填め込み、当該型枠に依る一単位の骨格体の成形後、当該型枠を分解分離し、然る後、構築用凹所の底面を掘り下げて当該骨格体を降下させ、これに依り、当該骨格体の上方に、一単位の地下構築物をすっぽりと収容できる程度の大きさを具えた新たな構築用凹所を増設し、当該増設された構築用凹所内に、新たな地下構築物形成用骨格体を形成するための型枠を填め込み、当該型枠に依る一単位の骨格体の成形後、当該型枠を分解分離し、このような工程を、所要回数繰り返すことによって、所要単位の地下構築物用骨格体を層状に形成する層状地下構築物の構築方法において、コンクリート流し込み用組立て型枠（Ｕ）は、柱体（ｍ）を形成するための柱形成用型枠部（Ｍ）と、梁（ｎ）を成形するための梁成形用型枠部（Ｎ）からなり、矩形状を呈する基盤部の盤面に筒体部２を突設してなる型枠支え用ブロック単体Ａ二つをその互いの筒体部２を対向させた状態で上下に連結したものを一単位とし、これを所要単位数、前後、左右及び上下方向に連結した構造体を形成し、柱形成用型枠部（Ｍ）は型枠支え用ブロック単体Aの基盤部の角端部に垂直に設けられ、梁成形用型枠部（N）は前記型枠支え用ブロック単体Aの基盤部の辺に沿って平行に設けられ、柱形成用型枠部（Ｍ）と梁成形用型枠部（N）は型枠支え用ブロック単体Aで安定されるよう支えられたことを特徴とする層状地下構築物の構築方法に係る。
【０００７】
本発明はこのような方法の採用に基づき、前記した従来の問題を解決したものである。
【０００８】
【作用】
地下構築用敷地部分に、一単位の地下構築物をすっぽりと収容できる程度の大きさを具えかつ水平な底面を具えた構築用凹所（１０）を掘削し、当該構築用凹所内に、一単位の地下構築物用骨格体を成形するためのコンクリート流し込み用組立て型枠を填め込む。
【０００９】
当該型枠に依る一単位の骨格体の成形後、当該型枠を分解分離し、然る後、当該骨格体Ｓの梁部ｎと構築用凹部１０の底面間に、複数のジャッキ１２を伸長状態で介在させることに依って、当該骨格体Ｓを保持させる。
【００１０】
次に、上記骨格体Ｓの全ての柱体ｍの下面部分に、所要深さの仮掘削孔10aを掘削すると共に、ジャッキ１１の短縮化に基づく仮掘削孔１０ａ分だけの柱体ｍの降下、並びに、当該降下後、仮掘削孔１０ａの深さ分だけの構築用凹所１０の底面の水平状引き下げ掘削を行うと共に、ジャッキ１１の伸長化に基づく骨格体Ｓに対する再度の保持を行う。
【００１１】
このような仮掘削孔の掘削に基づく骨格体Ｓの降下を、所要回数繰り返すことに依って、当該骨格体Ｓの上方に、一単位の地下構築物をすっぽりと収容できる程度の大きさを具えた新たな構築用凹所を増設する。そして、当該増設された構築用凹所内に、新たな地下構築物形成用骨格体を形成するための型枠を填め込むと共に、当該型枠に依る一単位の骨格体の成形後、当該型枠を分解分離する。
【００１２】
このような工程を、所要回数繰り返すことによって、所要単位の地下構築物用骨格体が層状に形成される。
【００１３】
【実施例】
本発明は、地下構築用敷地部分に、一単位の地下構築物をすっぽりと収容できる程度の大きさを具えかつ水平な底面を具えた構築用凹所を掘削し、当該構築用凹所内に、一単位の地下構築物用骨格体を成形するためのコンクリート流し込み用組立て型枠を填め込み、当該型枠に依る一単位の骨格体の成形後、当該型枠を分解分離し、然る後、構築用凹所の底面を掘り下げて当該骨格体を降下させ、これに依り、当該骨格体の上方に、一単位の地下構築物をすっぽりと収容できる程度の大きさを具えた新たな構築用凹所を増設し、当該増設された構築用凹所内に、新たな地下構築物形成用骨格体を形成するための型枠を填め込み、当該型枠に依る一単位の骨格体の成形後、当該型枠を分解分離し、このような工程を、所要回数繰り返すことによって、所要単位の地下構築物用骨格体を層状に形成する層状地下構築物の構築方法において、コンクリート流し込み用組立て型枠（Ｕ）は、柱体（ｍ）を形成するための柱形成用型枠部（Ｍ）と、梁（ｎ）を成形するための梁成形用型枠部（Ｎ）からなり、矩形状を呈する基盤部の盤面に筒体部２を突設してなる型枠支え用ブロック単体Ａ二つをその互いの筒体部２を対向させた状態で上下に連結したものを一単位とし、これを所要単位数、前後、左右及び上下方向に連結した構造体を形成し、柱形成用型枠部（Ｍ）は型枠支え用ブロック単体Aの基盤部の角端部に垂直に設けられ、梁成形用型枠部（N）は前記型枠支え用ブロック単体Aの基盤部の辺に沿って平行に設けられ、柱形成用型枠部（Ｍ）と梁成形用型枠部（N）は型枠支え用ブロック単体Aで安定されるよう支えられたことを特徴とする層状地下構築物の構築方法に関する。
【００１４】
図１乃至図８は本発明に係る構築方法の工程を表した説明用断面図であって、以下、同図について、本発明方法の具体的構成を説明する。
【００１５】
図1において、１０は地下構築用敷地内に、掘削した構築用凹所であって、一単位の地下構築物をすっぽりと収容できる程度の大きさを有しかつ水平な底面を具えている。Ｕは組立て型枠であって、一単位の地下構築物の骨格体Ｓを成形するためのものである。そして、当該組立て型枠Ｕは、図1に示すように構築用凹所１０内にすっぽりと組み込まれる。
【００１６】
なお、前記骨格体Ｓは矩形枠状に組まれた所要本数の梁部ｎと、当該梁部を支えるための所要本数の柱体ｍとから成るものであって、組立て型枠Ｕ内にコンクリートを流し込むことに依って一体成形される。
【００１７】
図２は上記した組立て型枠Ｕを分解分離することに依って、所要本数の梁部ｎと、当該梁部を支えるための所要本数の柱体ｍから成る一単位の骨格体Ｓ（最下段に位置される骨格体）を成形した状態を表したものである。そして当該骨格体Ｓの上面部、すなわち、梁部ｎ部分には、図３に示すように土間コンクリートＨ１を打設するが、その所要箇所には作業用出入り口ｈを開設しておく。なお、このような土間コンクリートＨ１の打設は、図１１に示すように、最下位の骨格体Ｓだけに施すことを原則とするが、後述するようにして当該最下位の骨格体Ｓの上に、順次形成される複数の骨格体全て、または一部に、当該土間コンクリートの打設を施すようにしても良い。
【００１８】
次に、図4に示すように、梁部ｎと構築用凹所１０の底面間に、複数のジャッキ１１を伸長状態で介在させることに依って、骨格体Ｓを水平状態に支持する。この状態においては、骨格体Ｓに対する主たる支持媒体は、複数本の柱体ｍではなく、伸長状態にあるジャッキ１１に依存している。
【００１９】
同時に、図４に示すように、骨格体Ｓに於ける全ての柱体ｍの下面部分に、所要深さの仮掘削孔１０ａを掘削すると共に、図５に示すように、ジャッキ１１を降下短縮化させることに依り、骨格体Ｓ全体を、当該仮掘削孔１０ａの深さ分だけ降下させる。然る後、構築用凹所１０の底面全体を当該降下後の仮掘削孔１０ａの深さ分だけの、水平に掘り下げる。すなわち、図５に一点鎖線で示すように掘り下げることに依って、構築用凹所１０の深さを仮掘削孔１０ａの深さ分だけ深くするような掘削を施すわけである。
【００２０】
上記のような構築用凹所１０の底面部掘削を施した後、図６に示すように、伸長状態にあるジャッキ１１を介して、骨格体Ｓに対する前記のような支持を施した後、同図に示すように、全ての柱体ｍの下面部分に、前記と同様に、所要深さの仮掘削孔１０ａを掘削する。
【００２１】
このような仮掘削孔の掘削、これに基づく当該仮掘削孔の深さ分だけの骨格体Ｓの降下、と言う各作業を、所要回数繰り返すことに依って、図７に示すように地骨格体Ｓの降下に基づき、その上方に、一単位の地下構築物をすっぽりと収容できる程度の大きさを具えた新たな構築用凹所を増設する。
【００２２】
然る後、図８に示すように、当該増設された構築用凹所内に、新たな組立て型枠Ｕを填め込むと共に、コンクリートを流し込む。当該流し込みコンクリートの固化を待って、当該型枠Ｕを分解分離することに依って、図９に示すように一段目の骨格体Ｓの上に、二段目の骨格体Ｓ２を、一体に連結形成する。
【００２３】
以上述べた一連の工程を、一サイクルの工程とし、これを所要回数繰り返すことに依って、所要段数の骨格体が層状化された状態で形成されることとなる。従って、各骨格体に対する壁張り、床張り、天井張り内装張り等の作業を行うことにより、夫々の階に区画された層状地下構築物が完成されることとなるわけである。
【００２４】
最後に、図１０に示すように、構築用凹所１０内の余剰空間に対する埋め戻し処理１２、並びに、最下段骨格体Ｓに対する土間コンクリートＨ２を打設する事により、各柱体ｍ下端に対する補強と土間形成を図る。
【００２５】
上記のように成形された各骨格体に対して、壁張り、床張り、天井張り、内装張り等の作業を施すことに依って、夫々の階に区画された層状地下構築物の完成化が図られる。
【００２６】
なお、上記した実施例においては、構築用凹所内に、一単位の地下構築用骨格体を成形するためのコンクリート流し込み用組立て型枠を填め込み、当該型枠に依る一単位の骨格体の成形後、当該型枠を分解分離し、然る後、構築用凹所の底面を掘り下げて当該骨格体を降下させ、これに依り、当該骨格体の上方に、一単位の地下構築物をすっぽりと収容できる程度の大きさを具えた新たな構築用凹所を増設し、増設完了後に、当該新たな構築用凹所内に、新たな地下構築物形成用骨格体を形成するための型枠を組み込むようにした。然し乍、当該新たな地下構築物骨格体を形成するための型枠の組立ては、前記した骨格体の降下作業と並行して行っても良い。
【００２７】
すなわち、前記した骨格体の降下作業と並行して、新たな地下構築物形成用骨格体を形成するための型枠を当該骨格体の上面に組み込み、上記増設された構築用凹所内に、新たな地下構築物形成用骨格体を形成するための型枠、若しくはこれを型開きして形成した新たな地下構築物形成用骨格体の填め込みが、前記骨格体の降下と連動して行われるように成し、このような工程を、所要回数繰り返すことによって、所要単位の地下構築物骨格体を層状に形成する、と言うような実施形態を採ることもできる。
【００２８】
ところで、前述した組立て型枠Ｕであるが、図示の実施例のものは、等高にして複数本の柱体ｍと、同一水平面に位置しかつ複数本の梁ｎとで構成する構築用骨格体Ｓを構築物の一つの単位とするものである。そして、柱体ｍは柱形成用型枠部Ｍで、また、梁部ｎは梁成形用型枠部Ｎに夫々コンクリートを流し込むことに依って形成される。
【００２９】
更に、図面に示す組立て型枠Ｕは、図１２に示すような形態を具えた型枠支え用ブロック単体Ａと、後述する柱形成用ユニットＢ、当該柱形成用型ユニットＢの上端に連結される分岐路形成用ユニットＣ、当該分岐路形成用型ユニットＣの分岐路に連結する梁部形成用ユニットＤとで、分解可能に組み立てて成るものである。
【００３０】
Ａは型枠支え用ブロック単体であって、図１２に示すような、矩形状を呈する基盤部１と、当該基盤部１の盤面に一体的に突設した円錐台形状筒体部２とから成るものである。
【００３１】
そして、当該型枠支え用ブロック単体Ａであるが、これは下位に位置する型枠支え用ブロック単体Aの円錐台形状筒体部２に対して、上位に位置する型枠支え用ブロック単体Aの円錐台形状筒体部を嵌合させることに依って、互いに密な状態での積重が可能化され、これに依り、輸送時または保管時の積み重ね状態に於ける嵩高の最小化が図られるように構成してある。
【００３２】
なお、図１２の実施例にあっては、四つの筒体部２を中心に対して対称的に形成するように構成してあるが、当該筒体部２の配置形態及び形成個数は、図示の実施例に限定されるものではない。すなわち、当該筒体部２は一個または適宜の複数個とすることが出来る。
【００３３】
更に、上記筒体部２の形態も、図示のような円錐台形状に限定されるものではないが、前記のような密な状態での積み重ねが出来る形態とすることが好ましい。積み重ね可能な形態であれば、多角形や楕円等任意の断面形状を備えた筒体であっても良い。
【００３４】
更に、基盤部１の平面形状も、図１２に示すような正四角形状以外、円形、楕円形、多角形等任意な形状とすることも出来る。換言すると、当該基盤部１の平面形状は、同一面状に連続して組み合わせ可能とする形状であれば良い。
【００３５】
上記した型枠支え用ブロック単体Ａであるが、これは図１２に示すように、二枚の型枠支え用ブロック単体Ａを、その互いの筒体部２を対向させた状態で上下に連結したものを一単位として、これを所要単位、前後、左右及び上下の各方向に連結することに依って、所用の型枠に対する支持を図るものである。Ｐは連結具であって、対向する筒体部２に嵌入させることによって、着脱自在の連結を図るものである。Ｒは各型枠支え用ブロック単体Ａをその各基盤部１の各隅角において連結するための連結用突起板であって、四隅の上下両面に連結用突起を付設して成るものである。そして、当該連結用突起を各基盤部１の隅角部に突入することに依って、隣接する四枚の型枠支え用ブロック単体A相互の連結が図られるように構成してある。
【００３６】
そして、多数の型枠支え用ブロック単体Ａ群で構成される組立て型枠Ｕには、前記した図１及び図８、並びに図１１に示すように、柱体ｍを成形するための柱形成用型枠部Ｍと、梁ｎを成形するための梁成形用型枠部Ｎの各形成用型ユニットを安定させた状態で組み込むように構成してある。なお、図１１は骨格体をＳ，Ｓ２，Ｓ３の三階建てとした場合を表したものである。
【００３７】
図１６において、Ｂは柱形成用型ユニット、Ｃは当該柱形成用ユニットＢの上端に連結される分岐路形成用型ユニット、Ｄは当該分岐路形成用型ユニットＣの分岐路に連結する梁部形成用型ユニットである。そして、当該各型ユニットＢ、Ｃ、Ｄは下記のように構成される。
【００３８】
上記した柱形成用型ユニットＢであるが、図１３に示すように、柱部構成用矩形枠部と、その端部に連なる水平フランジ部とで構成される枠状体を、縦方向にコーナー状に四分割された形態を具えたものである。すなわち、当該柱形成用型ユニットＢは、分割柱部３とこれに連なる分割フランジ部４とを具えたものである。Ｑは連結片であって、柱形成用ユニットＢを型枠支え用ブロック単体Ａに対して連結して安定させるためのものである。
【００３９】
そして、当該柱形成用ユニットＢは、四つの当該ユニットＢを、互いの分割柱部３の端縁を合致させたものを一単位とするように構成してある。なお、合致状態にあるフランジ部の外形の大きさは、前述した型枠支え用ブロック単体Ａの高さと等しくなるように構成してある。
【００４０】
前記した分岐路形成用型ユニットＣであるが、図１４に示すように、四隅に立ち上がらせるための柱状部と、その下縁に連設する分岐路用底板部とで構成される枠状体を、縦方向にコーナー状に四分割した形態を具えたものである。すなわち、当該分岐路形成用型ユニットＣは、柱状部５とこれの下縁に連設する分岐路用分割底板部６とを具えたものである。
【００４１】
そして、当該分岐路形成用型ユニットＣは、これを四つ、互いの分岐用分割底板部６の端縁を合致させたものを一単位とするように構成してある。なお、当該合致状態にある分岐路形成用型ユニットＣは、前記柱形成用型ユニットＢのフランジ部上にぴったりと敷設される大きさ、すなわち、両者の平面積が等大となるように構成してある。
【００４２】
前記した梁部形成用ユニットＤであるが、図１５に示すように、上記柱単体部５の上端面と面一に合致する外向き上縁板部７と、当該柱単体部５と等しい高さを具えた垂直板部８と、対向する当該柱状部５の幅の半分の幅を具えた底板部９とから成るものである。
【００４３】
そして、当該梁部形成用型ユニットＤは、これを二つ、互いの底板部９の長さ方向の端縁を合致させたものを一単位とするように構成してある。なお、当該梁部形成用型ユニットＤは、合致状態において、その上縁板部７を含めた平面形状が、前述した型枠支え用ブロック単体Ａにおける基盤部１と等大となるように構成してある。
【００４４】
図１６は上記した柱形成用型ユニットＢ、分岐路形成用型ユニットＣ、梁部形成用型ユニットＤの連結状態を表したものである。そして、同図に示すものを一セットとし、これを所要数連結することに依って、所用形態、例えば格子状の梁を形成するための型枠が構成される。
【００４５】
そして、所要単位数の柱形成用型ユニットＢを縦方向に連結することに依り、目的高さの柱を形成するための型枠が構成され、また、所要単位数の梁部形成用型ユニットＤを長手方向に連結することに依り、目的長さの梁を形成するための型枠が構成される。
【００４６】
すなわち、上記したように構成される型枠内に、図１７に示すようにコンクリートＥを充填する事に依って、柱及び梁の型成形がなされる。然し乍、上記梁部形成用の型枠内に対しては、Ｈ型鋼等の剛性の材料を充填しても良い。これは柱部の空間のように流し込み充填に依存することなく、上方からはめ込むようにしての充填が可能だからである。
【００４７】
図１及び図８に示すような組立て型枠Ｕの組立ては、次のようにして行うものである。初めに二枚の型枠支え用ブロック単体Ａをその互いの筒体部２を対向させた状態で上下に連結したものを一単位とし、これを所要単位数、前後、左右及び上下方向に連結する。そして、これを、図１７及び図１８に示すように組み立てられた柱形成用型ユニットＢ、分岐路形成用型ユニットＣ，梁部形成用型ユニットＤに対する安定的支持を図るように位置させる。すなわち、当該各ユニットＢ，Ｃ，Ｄが組立て状態で地下構築物Ｕ内に配置するための安定を、型枠支え用ブロック単体Ａで図るわけである。
【００４８】
なお、当該各ユニットＢ，Ｃ，Ｄの平面寸法及び高さ寸法を、型枠支え用ブロック単体Ａの平面寸法と高さ寸法に合致させるような寸法的設定を施すことに依り、当該各ユニットＢ，Ｃ，Ｄの組み込みは、これの該当する部分に組み込む型枠支え用ブロック単体Ａに代えて、当該各ユニットＢ，Ｃ，Ｄの填め込み的組み込みを行えば良い。
【００４９】
【発明の効果】
本発明は請求項１に記載のような構成、すなわち、地下構築用敷地部分に、一単位の地下構築物をすっぽりと収容できる程度の大きさを備えかつ水平な底面を具えた構築用凹所を掘削し、当該構築用凹所内に、一単位の地下構築物用骨格体を成形するためのコンクリート流し込み用組立て型枠を填め込み、当該型枠に依る一単位の骨格体の成形後、当該型枠を分解分離し、然る後、構築用凹所の底面を掘り下げて当該骨格体を降下させ、これに依り、当該骨格体の上方に、一単位の地下構築物をすっぽりと収容できる程度の大きさを具えた新たな構築用凹所を増設し、当該増設された構築用凹所内に、新たな地下構築物形成用骨格体を形成するための型枠を填め込み、当該型枠に依る一単位の骨格体の成形後、当該型枠を分解分離し、このような工程を、所要回数繰り返すことによって、所要単位の地下構築物用骨格体を層状に形成する層状地下構築物の構築方法において、コンクリート流し込み用組立て型枠（Ｕ）は、柱体（ｍ）を形成するための柱形成用型枠部（Ｍ）と、梁（ｎ）を成形するための梁成形用型枠部（Ｎ）からなり、矩形状を呈する基盤部の盤面に筒体部２を突設してなる型枠支え用ブロック単体Ａ二つをその互いの筒体部２を対向させた状態で上下に連結したものを一単位とし、これを所要単位数、前後、左右及び上下方向に連結した構造体を形成し、柱形成用型枠部（Ｍ）は型枠支え用ブロック単体Aの基盤部の角端部に垂直に設けられ、梁成形用型枠部（N）は前記型枠支え用ブロック単体Aの基盤部の辺に沿って平行に設けられ、柱形成用型枠部（Ｍ）と梁成形用型枠部（N）は型枠支え用ブロック単体Aで安定されるよう支えられたことを特徴とする層状地下構築物の構築方法としたから、地下構築物の構築が極めて容易かつ迅速に完成化される。
【００５０】
すなわち、従来の構築方法であると、矢板による掘削面崩壊防止作業は、当該矢板を地面に打ち込む関係上、作業用重機を必要とするばかりでなく、騒音発生の源となり、近隣に依る苦情が生じることとなった。そして、地下構築物の外面を覆うコンクリート面に対する養生には、多くの時間を割かなければならないため、当該養生は、構築作業の迅速化上、大きな障害となっていた。これに対して本発明は、このような矢板の使用、並びに、地下構築物の外面を覆うコンクリート面に対する養生を待っての次工程の実行と言うような必要がないから、上記のような従来の問題の解消化が図られる。
【００５１】
本発明は、地下構築用敷地部分に、一単位の地下構築物をすっぽりと収容できる程度の大きさを具えかつ水平な底面を具えた構築用凹所を掘削し、当該構築用凹所内に、一単位の地下構築物用骨格体を成形するためのコンクリート流し込み用組立て型枠を填め込み、当該型枠に依る一単位の骨格体の成形後、当該型枠を分解分離し、然る後、構築用凹所の底面を掘り下げて当該骨格体を降下させ、これに依り、当該骨格体の上方に、一単位の地下構築物をすっぽりと収容できる程度の大きさを具えた新たな構築用凹所を増設し、これと並行して、新たな地下構築物形成用骨格体を形成するための型枠を当該骨格体の上面に組み込み、上記増設された構築用凹所内に、新たな地下構築物形成用骨格体を形成するための型枠、若しくはこれを型開きして形成した新たな地下構築物形成用骨格体を填め込みが、前記骨格体の降下と連動して行われるように成し、このような工程を、所要回数繰り返すことによって、所要単位の地下構築物用骨格体を層状に形成するようにする事により、2段目以降の地下構築物は、一段目の骨格体の降下作業と並行して行うことが出来るため、作業の迅速化が計られると同時に、流し込みコンクリートの養生も、一段目の骨格体の降下作業中に終わらせることができる。層状地下構築物の構築方法である。
【００５２】
本発明は、請求項２に記載のような構成、すなわち、地下構築用敷地部分に、一単位の地下構築物をすっぽりと収容できる程度の大きさを具えかつ水平な底面を具えた構築用凹所（１０）を掘削し、当該構築用凹所内に、一単位の地下構築物用骨格体を成形するためのコンクリート流し込み用組立て型枠を填め込み、当該型枠に依る一単位の骨格体の成形後、当該型枠を分解分離し、然る後、当該骨格体（S）の梁部（ｎ）と構築用凹所（１０）の底面間に、複数のジャッキ（１１）を伸長状態で介在させることに依って、当該骨格体（Ｓ）を保持させ、次に、上記骨格体（Ｓ）の全ての柱体（ｍ）の下面部分に、所要深さの仮掘削孔（１０ａ）を掘削すると共に、ジャッキ（１１）の短縮化に基づく仮掘削孔（１０ａ）分だけの柱体ｍの降下、並びに、当該降下後、仮掘削孔（１０ａ）の深さ分だけの構築用凹所（１０）の底面の水平状引き下げ掘削を行うと共に、ジャッキ（１１）の伸長化に基づく骨格体（Ｓ）に対する再度の保持を行い、このような仮掘削孔の掘削に基づく骨格体（Ｓ）の降下を、所要回数繰り返すことに依って、当該骨格体（Ｓ）の上方に、一単位の地下構築物をすっぽりと収容できる程度の大きさを具えた新たな構築用凹所を増設し、当該増設された構築用凹所内に、新たな地下構築物形成用骨格体を形成するための組み立て用型枠を填め込み、当該型枠に依る一単位の骨格体の成形後、当該型枠を分解分離し、このような工程を、所要回数繰り返すことによって、所要単位の地下構築物用骨格体を層状に形成する層状地下構築物の構築方法において、コンクリート流し込み用組立て型枠（Ｕ）は、柱体（ｍ）を形成するための柱形成用型枠部（Ｍ）と、梁（ｎ）を成形するための梁成形用型枠部（Ｎ）からなり、矩形状を呈する基盤部の盤面に筒体部２を突設してなる型枠支え用ブロック単体Ａ二つをその互いの筒体部２を対向させた状態で上下に連結したものを一単位とし、これを所要単位数、前後、左右及び上下方向に連結した構造体を形成し、柱形成用型枠部（Ｍ）は型枠支え用ブロック単体Aの基盤部の角端部に垂直に設けられ、梁成形用型枠部（N）は前記型枠支え用ブロック単体Aの基盤部の辺に沿って平行に設けられ、柱形成用型枠部（Ｍ）と梁成形用型枠部（N）は型枠支え用ブロック単体Aで安定されるよう支えられたことを特徴とする層状地下構築物の構築方法であるため、上記したジャッキワークに基づき、骨格体Ｓの降下極めて迅速かつ簡易に行うことができる。
【００５３】
本発明は、いずれも地下構築物として、柱体ｍを形成するための柱形成用型枠部Ｍと、梁ｎを成形するための梁成形用型枠部Ｎを、柱部構成用矩形枠部とその端部に連なる水平フランジ部とで構成される枠状体を、所要数に分割形成して成る柱形成用ユニットＢと、四隅に立ち上がらせた柱部と、その下縁に連設する分岐路用底板部とで構成される枠状体を、所要数に分割形成して成り、かつ、上記柱形成用型ユニットＢ上に連結するための分岐路形成用型ユニットＣと、外向き上縁板部７と垂直板部８と底板部９とで構成される枠状体を、所要数に分割形成して成り、かつ、上記分岐路形成用型ユニットＣの分岐口に連結するための梁部形成用型ユニットＤとで構成するようにしたから、各型ユニットの分割に基づくコンパクト性から、保管作業、輸送作業の容易化が図られると同時に、その軽量性から、組立作業の簡易化と迅速化が図られる。
【００５４】
本発明は柱形成用ユニットＢと、分岐路形成用型ユニットＣと、梁部形成用型ユニットＤとの平面寸法と高さ寸法とを、型枠支え用ブロック単体Ａの平面寸法と高さ寸法とに合致させるように構成することに依り、当該各型ユニットＢ，Ｃ，Ｄの填め代え的組み込みが果たされる。従って、作業の迅速化及び簡便化が図られる。
【図面の簡単な説明】
【図１】本発明方法の第一工程を表した説明用断面図である。
【図２】本発明方法の第二工程を表した説明用断面図である。
【図３】本発明方法の第三工程を表した説明用平面図である。
【図４】本発明方法の第四工程を表した説明用断面図である。
【図５】本発明方法の第五工程を表した説明用断面図である。
【図６】本発明方法の第六工程を表した説明用断面図である。
【図７】本発明方法の第七工程を表した説明用断面図である。
【図８】本発明方法の第八工程を表した説明用断面図である。
【図９】本発明方法の第九工程を表した説明用断面図である。
【図１０】本発明方法の第十工程を表した説明用断面図である。
【図１１】地下構築物の一例として表した構築用骨格体Ｓの斜視図である。
【図１２】型枠支え用ブロック単体Ａの説明用斜視図である。
【図１３】柱形成用型ユニットＢを表した参考用斜視図である。
【図１４】分岐路形成用型ユニットＣを表した参考用斜視図である。
【図１５】梁部形成用型ユニットＤを表した参考用斜視図である。
【図１６】柱形成用型ユニットＢと、分岐路形成用型ユニットＣと、梁部形成用型ユニットＤとを組立て連結した状態を表した参考用斜視図である。
【図１７】組立て型枠Ｕにおける各型ユニットを組み立てた状態を表した参考用縦断面図である。
【図１８】地下構築物Ｕにおける各型ユニットを組み立てた状態を表した参考用平面図である。
【符号の説明】
１０  構築用凹所
１０ａ  仮掘削孔
１１  ジャッキ
１２  埋め戻し処理
Ｓ  骨格体
ｍ  柱体
Ｍ  柱形成用型枠部
ｎ  梁
Ｎ  梁形成用型枠部
Ｈ１  土間コンクリート
ｈ  出入り口
Ｈ２  土間コンクリート
Ｕ  組立て型枠
Ａ  型枠支え用ブロック単体
１  基盤部
２  筒体部
Ｂ  柱形成用型ユニット
３  分割柱部
４  分割フランジ部
Ｃ  岐路形成用型ユニット
５  柱状部
６  分岐用分割底板部
Ｄ  梁部形成用型ユニット
７  外向き上縁板部
８  垂直板部
９  底板部
Ｅ  コンクリート
【図１】
0004351331.tif 000002
【図２】
0004351331.tif 000003
【図３】
0004351331.tif 000004
【図４】
0004351331.tif 000005
【図５】
0004351331.tif 000006
【図６】
0004351331.tif 000007
【図７】
0004351331.tif 000008
【図８】
0004351331.tif 000009
【図９】
0004351331.tif 000010
【図１０】
0004351331.tif 000011
【図１１】
0004351331.tif 000012
【図１２】
0004351331.tif 000013
【図１３】
0004351331.tif 000014
【図１４】
0004351331.tif 000015
【図１５】
0004351331.tif 000016
【図１６】
0004351331.tif 000017
【図１７】
0004351331.tif 000018
【図１８】
0004351331.tif 000019